(57)【要約】      （修正有）【課題】２枚の戸板あるいは窓枠が平行して寄せ合う形で建築物の壁面に寄りかかり、カーブ構造のガイドを必要としない扉や窓の遮蔽構造を提供する。【解決手段】戸窓用遮蔽構造で、一つの細長い形をした直線ガイド２０を含み、直線ガイドは第一端と第二端の両端を備え、第一可動板３０は第二可動板４０と枢接し、第一可動板の片端は第一枢軸３４と接続して第一枢軸を枢動軸とする。第一枢軸は直線ガイドの第一端２０ａと近接し、第二可動板の片端には第二枢軸４４が接続されており、第二枢軸は直線ガイドに沿って往復移動する。特記すべき点としては、第一枢軸３４は第二枢軸４４の動作経路及び動作経路の延伸方向にないことである。そのため、第一可動板３０と第二可動板４０は平行して揃えて建築物壁面に寄りかかることができる。【選択図】図６
0003197350.tif 000002
【実用新案登録請求の範囲】
【請求項１】
一つの直線ガイドを備え、細長い形をしたガイドは一つの第一端と一つの第二端からなる両端を備え；
一つの第一可動板は一つの第二可動板と枢接し、前記第一可動板の片側は一つの第一枢軸と接続し、前記第一枢軸は前記直線ガイドの前記第一端と近接し、前記第二可動板の片側には一つの第二枢軸が接続され、前記第二枢軸は前記直線ガイドに沿って往復移動するほか、前記第一枢軸部分は前記第二枢軸の動作経路および前記動作経路の延伸方向に位置しない、戸窓用の遮蔽構造。
【請求項２】
前記直線ガイドは長軸方向に平行に設置された一つの前縁と一つの後縁を持ち、前記前縁と前記後縁の間は前記長軸方向に沿って一つの底部開口を形成する；前記第一枢軸は前記直線ガイドの前記第一端に近接し、しかも後縁の外側に位置し、前記第二枢軸の片端は前記底部開口を通過し、もう片端は前記第二可動板と接続することを特徴とする請求項１に記載の戸窓用の遮蔽構造。
【請求項３】
一つの固着物を含み、前記固着物の底面は前記直線ガイドと前記第一枢軸と結合し、前記第一枢軸は前記固着物底面と垂直を保つように設置されている；前記第一可動板は一つの後部を備え、前記後部に一つの枢座があり、前記第一枢軸の片端は前記枢座の中に穿入することを特徴とする請求項２に記載の戸窓用の遮蔽構造。
【請求項４】
前記固着物は一つの長方形框体を含み、前記長方形框体の長軸方向に一つの前縁と一つの後縁があり、前記長方形框体の前記前縁は前記後縁の間隔は第一距離で、前記直線ガイドの前記前縁と前記後縁の間隔は第二距離で、前記第二距離は前記第一距離よりも短いことを特徴とする請求項３に記載の戸窓用の遮蔽構造。
【請求項５】
一つの複滑車を含む。前記複滑車は可動状態で前記直線ガイドの中に設置され、前記第二枢軸の片端は前記複滑車と接続し、もう片端は前記第二可動板の頂面と接続することを特徴とする請求項２に記載の戸窓用の遮蔽構造。
【請求項６】
前記直線ガイドの長軸方向に水平に設置された一つの上縁と一つの下縁があり、前記上縁は前記下縁の間では前記長軸方向に沿って一つの側面開口が形成されている；前記第一枢軸は前記直線ガイドの前記第一端に近接し、しかも前記下縁の下方に位置する。前記第二枢軸は前記直線ガイドの前記側面開口に沿って往復移動することを特徴とする請求項１に記載の戸窓用の遮蔽構造。
【請求項７】
少なくとも一つの滑車と一つの輪座を含み、前記滑車は可動状態で前記直線ガイドに設置されており、しかも前記輪座と連結し、前記輪座は前記直線ガイドの前記側面開口の外側に位置する；前記第二枢軸の片端は前記輪座まで届いて接続し、もう片端は前記第二可動板まで届いて接続することを特徴とする請求項６に記載の戸窓用の遮蔽構造。
【請求項８】
前記第一可動板の下方に設置された一つの調整構造があり、前記調整構造は一つの側座、一つのベースと一つのスクリューを含み、このうち前記側座は前記第一可動板上に設置され、しかも一つの軸穴があり、前記スクリューの片端は前記軸穴の中まで伸び、もう片端は前記ベースと結合することを特徴とする請求項１に記載の戸窓用の遮蔽構造。
【請求項９】
前記調整構造はさらに一つの可動プレート、一つの可動ブロックおよび一つのボルトを含み、前記ベースに一つの長い溝があり、前記可動プレートは前記長い溝に沿って変位するほか、一つの穿孔を備え、前記スクリューの片側は前記可動プレートを通過して前記ベースと結合する。前記可動ブロックは前記長い溝の中、前記可動プレートの下方に位置する。前記可動ブロックに一つのネジ穴があり、前記ボルトの片端は前記可動プレートの前記穿孔を通過して前記可動ブロックの前記ネジ穴の中にロックインされることを特徴とする請求項８に記載の戸窓用の遮蔽構造。
【考案の詳細な説明】
【技術分野】
【０００１】
本出願は、戸窓の構造、特に一種の戸窓の遮蔽構造に関わる。
【背景技術】
【０００２】
従来の扉や窓の遮蔽構造は２枚の戸板あるいは２枚の窓枠を後つまみで接続されているのに対して、前記遮蔽構造はそのうち１枚の戸板あるいは窓枠に対して定点方式にて直接枢軸スタイルで戸枠あるいはサッシのガイド上に取り付けられる。一方で別の戸板あるいは窓枠の上には一つの複滑車があり、前記複滑車は前記ガイドと協働するため、前記複滑車を利用し前記ガイドにおいて往復移動して前記二つの戸板あるいは前記二つの窓枠を引っ張って引き寄せたり、引き離したりすることができる。但し、前記構造の場合、ガイドが完全に直線状になっている時は、戸板あるいは窓枠の枢軸点が前記ガイドの中に設置されているため、前記二つの戸板あるいは前記二つの窓枠を引き寄せあるいは引き離して戸枠あるいはサッシと垂直を保つと、それ以上建築物の壁面に寄りかかることができなくなり、戸板あるいは窓枠が妨げとなってスムーズに通過できず、あるいは人がぶつかってしまう恐れがある。
【０００３】
上記課題を解決すべく、一部の業者では、ガイドを外側に向けて曲がる構造を持たせて複滑車の移動経路を変えるなど、戸板あるいは窓枠が建築物の壁面に向けて押し寄せられない欠陥を解消するために様々な試みを行った。ある米国特許第１,５７０,９５８号では類似した構造も公開されており、図１に示す所により、前記特許技術では一つの直線区間１ａと一つの外曲り区間１ｂを含む一つのガイド１、一つの戸板２の片側は建築物壁面Ｗと枢接し、別の戸板３は前記戸板２と枢接し、しかも前記戸板３の頂面３ａに一組の滑車４が設置され、前記一組の滑車４は前記ガイド１に沿って移動するものである。これを見る限り前記特許技術では前記外曲り区間１ｂの設計を利用して滑車４の移動方向を変えて妨げられるのを防いでいる。だがガイド１の曲げ構造は製造が難しい上、コストも高く、しかも突き出すような外曲り設計は全体的なデザイン性を損なう恐れがある。また、前記戸板２と戸板３が図１の仮想ライン位置にある時は、建築物の壁面Ｗに寄りかかっているものの、前記戸板２と戸板３の間は平行して揃えた状態を保つことはできない。
【先行技術文献】
【特許文献】
【０００４】
【特許文献１】米国特許第１５７０９５８号
【考案の概要】
【考案が解決しようとする課題】
【０００５】
上記のような従来例の問題点に鑑、本考案の目的は、２枚の戸板あるいは窓枠が平行して寄せ合う形で建築物の壁面に寄りかかり、カーブ構造のガイドを必要としない一種の扉や窓の遮蔽構造を提供することである。
【０００６】
上記の目的を実現するために、本考案で公開される戸窓の遮蔽構造は一つの直線ガイドを備え、細長い形をしたガイドは一つの第一端と一つの第二端からなる両端を持つ；一つの第一可動板は一つの第二可動板と枢接し、前記第一可動板の片側は一つの第一枢軸と接続し、前記第一枢軸は前記直線ガイドの前記第一端と近接し、前記第二可動板の片側には一つの第二枢軸が接続され、前記第二枢軸は前記直線ガイドに沿って往復移動するほか、前記第一枢軸部分は前記第二枢軸の動作経路および前記動作経路の延伸方向にいない。
【０００７】
このうち前記直線ガイドは長軸方向に平行に設置された一つの前縁と一つの後縁を備え、前記前縁と前記後縁の間は前記長軸方向に沿って一つの底部開口を形成する；前記第一枢軸は前記直線ガイドの前記第一端に近接し、しかも後縁の外側に位置し、前記第二枢軸の片端は前記底部開口を通過し、もう片端は前記第二可動板と接続する。
【０００８】
さらに一つの固着物を含み、前記固着物の底面は前記直線ガイドと前記第一枢軸と結合し、前記第一枢軸は前記固着物底面と垂直を保つように設置されている；前記第一可動板は一つの後部を備え、前記後部に一つの枢座があり、前記第一枢軸の片端は前記枢座の中に穿入する。
【０００９】
なお、前記固着物は一つの長方形框体を含み、前記長方形框体の長軸方向に一つの前縁と一つの後縁があり、前記長方形框体の前記前縁は前記後縁の間隔は第一距離で、前記直線ガイドの前記前縁と前記後縁の間隔は第二距離で、前記第二距離は前記第一距離よりも短い。
【００１０】
さらに一つの複滑車を含む。前記複滑車は可動状態で前記直線ガイドの中に設置され、前記第二枢軸の片端は前記複滑車と接続し、もう片端は前記第二可動板の頂面と接続する。
【００１１】
前記直線ガイドの長軸方向に水平に設置された一つの上縁と一つの下縁があり、前記上縁は前記下縁の間では前記長軸方向に沿って一つの側面開口が形成されている；前記第一枢軸は前記直線ガイドの前記第一端に近接し、しかも前記下縁の下方に位置する。前記第二枢軸は前記直線ガイドの前記側面開口に沿って往復移動する。
【００１２】
さらに少なくとも一つの滑車と一つの輪座を含み、前記滑車は可動状態で前記直線ガイドに設置されており、しかも前記輪座と連結し、前記輪座は前記直線ガイドの前記側面開口の外側に位置する；前記第二枢軸の片端は前記輪座まで届いて接続し、もう片端は前記第二可動板まで届いて接続する。
【００１３】
さらに前記第一可動板の下方に設置された一つの調整構造があり、前記調整構造は一つの側座、一つのベースと一つのスクリューを含み、このうち前記側座は前記第一可動板上に設置され、しかも一つの軸穴があり、前記スクリューの片端は前記軸穴の中まで伸び、もう片端は前記ベースと結合する。
【００１４】
前記調整構造はさらに一つの可動プレート、一つの可動ブロックおよび一つのボルトを含み、前記ベースに一つの長い溝があり、前記可動プレートは前記長い溝に沿って変位するほか、一つの穿孔を備え、前記スクリューの片側は前記可動プレートを通過して前記ベースと結合する。前記可動ブロックは前記長い溝の中、前記可動プレートの下方に位置する。前記可動ブロックに一つのネジ穴があり、前記ボルトの片端は前記可動プレートの前記穿孔を通過して前記可動ブロックの前記ネジ穴の中にロックインされる。
【００１５】
本出願を採用することにより、前記戸窓の遮蔽構造と建築物とのデザイン性が保たれただけでなく、直線ガイドを採用したことで容易に設置可能、コストダウン等のメリットを持つ。
【図面の簡単な説明】
【００１６】
【図１】米国特許第１,５７０,９５８号に示す構造の俯瞰図である。
【図２】本考案の実施例における第一可動板と第二可動板が展開された状態を示す立体図である。
【図３】本考案の実施例における第一可動板と第二可動板が展開された状態を示す立体図である。
【図４】図２における複滑車と直線ガイドの位置関係を示す立体図である。
【図５】図３における固定板、第一枢軸と枢座の位置関係を示す立体図である。
【図６】第一可動板と第二可動板が展開された状態を示す俯瞰図である。
【図７】第一可動板に寄せるように接近する第二可動板を示す俯瞰図である。
【図８】並べ揃えた第一可動板と第二可動板が建築物壁面に寄りかかる形態を示す俯瞰図である。
【図９】本考案の上記一実施例の調整構造を示す立体図である。
【図１０】図９に示す調整構造の分解図である。
【図１１】本考案の別の実施例を示す立体図である。
【図１２】本考案の上記実施例における第二枢軸と第二可動板および直線ガイドの配置関係を示す俯瞰図である。
【考案を実施するための形態】
【００１７】
本考案をよりはっきりと理解できるよう、いくつかの実施例と図面を併用して詳しく説明する。図２ないし図５は、本考案の戸窓の遮蔽構造は窓に活用したものである。この実施例では、前記遮蔽構造１００は主に一つの固着物、一つの直線ガイド２０、一つの第一可動板３０と一つの第二可動板４０から構成される。
【００１８】
本実施例では、前記固着物は複数の装飾板からなる一つの長方形框体１０で、前記長方形框体１０は一つのサッシ１００Ａ上に設置さガイドか、もしくは直接建築物壁面上に取り付けらガイドである。前記長方形框体１０の長軸方向には一つの前縁１２と一つの後縁１４があり、前記前縁１２は前記後縁１４との間に第１距離Ｌ１が設けられている。固着物は直線ガイド２０と一体型で、直線ガイド２０から延伸する板体として、直線ガイド２０のサッシ１００Ａ周縁への固定に用いられ、直線ガイド２０が建築物壁の外に突き出させて、第一可動板３０及び第二可動板４０のために十分な動作スペースを確保できるものでもかまわない。
【００１９】
前記直線ガイド２０は前記長方形框体１０に固定接続し、前記長方形框体１０の底面に位置する。前記直線ガイド２０も細長い形を呈し、第一端２０ａと第二端２０ｂの両端を持つ。前記直線ガイド２０はその長軸方向上に平行に設置された一つの前縁２２と一つの後縁２４を備え、前記前縁２２は前記後縁２４の間に前記長軸方向に沿うように一つの底部開口２６を形成している。このうち、前記前縁２２と前記後縁２４は第二距離Ｌ２に隔てられ、前記第二距離Ｌ２は前記第一距離Ｌ１よりも短いため、前記直線ガイド２０が前記長方形框体１０の前縁１２に接近するように設置されていると、前記長方形框体１０の前記直線ガイド２０後縁２４以外の部分にスペースＳが生じる。
【００２０】
前記第一可動板３０と前記第二可動板４０は前記直線ガイド２０の下方に位置するほか、互い２つの後つまみ５０で枢接連結されて広げるか或は縮めることができる。このうち前記第一可動板３０裏側３０ａの頂縁部に近い場所に一つの枢座３２が固定設置されており、前記枢座３２は真っ直ぐ貫通するほぞ穴３２ａを持っている。第一枢軸３４の片端は一つの固定板２８と連結し、複数のねじ（未図示）を利用して前記固定板２８上の穴２８ａに穿設され、前記固定板２８を前記長方形框体１０の底面、前記スペースＳに固定接続する。前記固定板２８は前記直線ガイド２０の第一端２０ａに近寄る。前記第一枢軸３４のもう片端は前記枢座３２の前記ほぞ穴３２ａの中に穿入し、前記第一枢軸３４が前記直線ガイド２０の前記後縁２４の外側に近接するようになり、これにより前記第一枢軸３４は前記長方形框体１０の底面に対して垂直を保ち、かつ前記第一可動板３０の枢動軸を構成する。本実施例では、前記第一枢軸３４は前記固定板２８を利用して固着物の長方形框体１０の底面に位置決めするが、これに限定されず、その固定板２８は直線ガイド２０と固定接続しても構わない；あるいは第一枢軸３４は前記直線ガイド２０の後ろ側に直接連結し、前記第一枢軸３４を前記直線ガイド２０の後ろ側に設置して前記第一可動板３０が前記直線ガイド２０の下方に位置するように図ることもできる。
【００２１】
前記第二可動板４０の頂面４０ａに一つの複滑車４２が設置されており、前記複滑車４２は一つのベース４２ａと複数のローラー４２ｂを含み、これらのローラー４２ｂは前記ベース４２ａ上に設置され、しかも前記直線ガイド２０の内壁と接触し、これにより前記複滑車４２が前記直線ガイド２０に沿って往復移動できるようになる。第二枢軸４４の片端は前記複滑車４２の前記ベース４２ａ上に接続され、もう片端は前記直線ガイド２０の底部開口２６を通って前記第二可動板４０の頂面４０ａに接続され、これにより前記複滑車４２と前記第二可動板４０相対的に回転して動くことができるようになる。前記第二枢軸４４は前記複滑車４２の移動とともに前記直線ガイド２０に沿って前記第一端２０ａと前記第二端２０ｂの間で往復移動する。
【００２２】
図６に示すように、前記第一可動板３０と前記第二可動板４０は、並列して広げる状態で、しかも建築物の窓を遮蔽することができる。この時、前記第一枢軸３４と前記第二枢軸４４はそれぞれ前記直線ガイド２０の両端に位置し、特記すべき点として、前記第一枢軸３４は前記直線ガイド２０の前記後縁２４の外側に位置するのに対して、前記第二枢軸４４は前記直線ガイド２０の中に位置する。言い換えれば、前記第一枢軸３４は前記第二枢軸４４の動作経路および前記動作経路の延伸方向に位置しない。
【００２３】
図７は、前記第一可動板３０に接近する前記第二可動板４０を示すもので、前記第一可動板３０は前記第二可動板４０と同じ長さの板面があるため、前記第一可動板３０が前記第二可動板４０と概ねV型を呈する時に前記第一枢軸３４を枢動軸に変えることができる。前記第一可動板３０と前記第二可動板４０を図８に示す建築物の壁面（未図示）方向に押し続けると、前記第一可動板３０は前記第一枢軸３４を枢動軸にして、しかも前記第一枢軸３４は前記直線ガイド２０の後縁２４の外側に位置するため、前記第二枢軸４４の動作経路を妨げることがなく、前記第二枢軸４４が前記第一枢軸３４の位置に移動すると、前記第一可動板３０と前記第二可動板４０はスムーズに建築物壁面に寄りかかり、同時に前記第一可動板３０は前記第二可動板４０とほぼ平行して揃えた状態を保つことができる。
【００２４】
前記遮蔽構造１００は、窓開閉用のガイドとして直線ガイド２０を使用するため、従来のガイド構造では曲げ区間を必要とするため取り付けが面倒な上、デザイン性も損なわれるという欠点を解消し、しかも前記遮蔽構造１００は図７に示す開けられた状態では、前記第一可動板３０は前記第二可動板４０とほぼ平行に設置されており、スペースをあまりとらず、突き出す感じもない。
【００２５】
次に図３、図９と図１０に示す所により、前記遮蔽構造１００はさらに前記第一可動板３０の下方に設置された一つの調整構造６０を含み、前記調整構造６０は一つの側座６１、一つのベース６２、一つの可動プレート６３、一つのスクリュー６４、一つのナット６５、一つの可動ブロック６６と一つのボルト６７を含む。このうち前記側座６１は前記第一可動板３０の側壁に固定され、しかも前記側座６１に一つの軸穴６１ａがある；前記ベース６２は前記サッシ１００Ａの一つの底板１００Ｂ上にロック固定され、前記ベース６２に一つの長い溝６２ａがある；前記可動プレート６３は前記長い溝６２ａに沿って可動状態で前記ベース６２上に設置され、しかも前記可動プレート６３は一つの皿穴６３ａと一つの穿孔６３ｂを持つ；前記スクリュー６４の片端は前記ナット６５を通って前記側座６１の軸穴６１ａの中まで伸びるほか、前記軸穴６１ａの内部はスクリュー６４表面のねじ山と一致するねじ山を備える；前記ナット６５は前記側座６１底縁と抵接し、前記スクリュー６４のもう片端は前記可動プレート６３の皿穴６３ａの中に伸入し、即ち前記スクリュー６４は前記可動プレート６３を通過して前記ベース６２と結合する。なお、前記スクリュー６４を正方向あるいは逆方向に回転させれば前記スクリュー６４が前記側座６１の軸穴６１ａを穿設する高さを変えて前記第一可動板３０を上下微調整することができる。また、前記ナット６５を正方向および逆方向に駆動回転させる前記ナット６５が前記スクリュー６４に結合する高さ位置を変え、前記第一可動板３０を高さ調整済みのスクリュー６４に固定して前記第一可動板３０のスリップを防ぎ、前記第一可動板３０と前記第二可動板４０の移動がよりスムーズになり、しかも前記第一可動板３０と前記第二可動板４０の状態が図６に示すように並列して広げた形態を呈する時は、サッシ及び窓口とよりピッタリと合致することができる。
【００２６】
また、前記調整構造６０の前記可動ブロック６６は前記長い溝６２ａの中に設置され、かつ前記可動プレート６３の下方に位置し、前記可動ブロック６６に一つのネジ穴６６ａがあり、前記ボルト６７の片端は前記可動プレート６３の前記穿孔６３ｂを通って前記可動ブロック６６の前記ネジ穴６６ａの中にロックインするため、前記ボルト６７を締め付ければ前記可動ブロック６６が前記ベース６２の長い溝６２ａの内縁にピッタリとくっつけて前記可動プレート６３を固定することができる。言い換えれば、前記ボルト６７が緩んだ時に、前記可動プレート６３は前記長い溝６２ａに沿って移動し、前記第一可動板３０の左右位置を微調整で引っ張ることで、前記第一可動板３０と前記第二可動板４０のスムーズな移動を実現することができる。同時に、前記第一枢軸３４を前記長方形框体１０底面の前記固定板２８に固定接続し、その上の穴２８ａは、前記可動プレート６３の前記長い溝６２ａに沿った移動に合わせるために長い楕円体を呈しても構わない。
【００２７】
さらに図１１と図１２に示す本考案の別の実施例の遮蔽構造２００を参照されたい。上記実施例と異なり、本実施例の遮蔽構造２００の直線ガイド７０は横梁８０を代表とした固着物の前部に固定接続され、前記直線ガイド７０は長軸方向に平行に設置された一つの上縁７１と一つの下縁７２を備え、かつ前記上縁７１と前記下縁７２の間は前記長軸方向に沿って一つの側面開口７３を形成する。前記第一枢軸７４は前記第一可動板３０の頂面と接続し、しかも前記直線ガイド７０の第一端７０ａに近接して前記下縁７２の下方に位置する。これに対して前記第二枢軸７６の片端は前記第二可動板４０との接続を維持する。相違点としては、前記第二枢軸７６のもう片端は一つの輪座９０に插入しているため、前記第二枢軸７６は前記輪座９０に対して回転して動くことができる。前記輪座９０は２つの輪軸９２を介してそれぞれ一つの滑車９４と接続し、これらの滑車９４は可動状態で前記直線ガイド７０の中に設置されて前記輪座９０が前記直線ガイド７０の前記側面開口７３の外側に位置するようにし、かつ前記第二枢軸７６は前記直線ガイド７０の前記側面開口７３に沿って往復移動することができる。
【００２８】
上記実施例の遮蔽構造２００も同様に直線状の直線ガイド７０を備え、前記第一枢軸７４の設置位置および第二枢軸７６との連結形態を変えることで前記第二枢軸７６の動作経路が直線ガイド７０の側面開口７３の外部に位置させるため、先に紹介した実施例の動作経路が直線ガイド２０の中に位置する点とは異なる；これより本実施例において直線ガイド７０の下方に設置された第一枢軸７４は同様に前記第二枢軸７６の動作経路に位置しなくなり、妨害の発生を防げるだけでなく、前記第一可動板３０と前記第二可動板４０がスムーズに建築物壁面に寄りかかりし、ほぼ平行して揃えた状態を維持できるようになる。
【００２９】
上記各実施例はあくまでもいくつかの実施態様にすぎず、特許考案の技術的範囲を画するものではない。上記実施形態に種々の変更または改良を加えたものも、本考案の技術的範囲に含まれる。
【符号の説明】
【００３０】
１００、２００  …  遮蔽構造
１００Ａ  …  窓枠        １００Ｂ  …  底板
１０  …  長方形框体
１２  …  前縁            １４後縁
２０  …  直線ガイド             ２０ａ  …  第一端   ２０ｂ  …  第二端
２２  …  前縁            ２４  …  後縁              ２６  …  底部開口
２８  …  固定板          ２８ａ  …  穴
３０  …  第一可動板             ３０ａ  …  後部
３２  …  枢座            ３２ａ  …  ほぞ穴
３４  …  第一枢軸
４０  …  第二可動板             ４０ａ  …  頂面     
４２  …  複滑車          ４２ａ  …  ベース   ４２ｂ  …  ローラー
４４  …  第二枢軸
５０  …  後つまみ
６０  …  調整構造
６１  …  側座            ６１ａ  …  軸穴
６２  …  ベース          ６２ａ  …  長い溝
６３  …  可動プレート    ６３ａ  …  皿穴     ６３ｂ  …  穿孔     
６４  …  スクリュー             ６５  …  ナット     ６６  …  可動ブロック
６６ａ  …  ネジ穴        ６７  …  ボルト
７０  …  直線ガイド             ７０ａ  …  第一端
７１  …  上縁            ７２  …  下縁              ７３  …  側面開口
７４  …  第一枢軸        ７６  …  第二枢軸
８０  …  横梁            ９０  …  輪座              ９２  …  輪軸
９４  …  滑車
Ｌ１  …  第一距離        Ｌ２  …  第二距離   Ｓ  …  スペース
【図１】
0003197350.tif 000003
【図２】
0003197350.tif 000004
【図３】
0003197350.tif 000005
【図４】
0003197350.tif 000006
【図５】
0003197350.tif 000007
【図６】
0003197350.tif 000008
【図７】
0003197350.tif 000009
【図８】
0003197350.tif 000010
【図９】
0003197350.tif 000011
【図１０】
0003197350.tif 000012
【図１１】
0003197350.tif 000013
【図１２】
0003197350.tif 000014
【手続補正書】
【提出日】平成27年3月4日(2015.3.4)
【手続補正１】
【補正対象書類名】実用新案登録請求の範囲
【補正対象項目名】全文
【補正方法】変更
【補正の内容】
【実用新案登録請求の範囲】
【請求項１】
一つの直線ガイドを備え、細長い形をしたガイドは一つの第一端と一つの第二端からなる両端を備え；
一つの第一可動板は一つの第二可動板と枢接し、前記第一可動板の片側は一つの第一枢軸と接続し、前記第一枢軸は前記直線ガイドの前記第一端と近接し、前記第二可動板の片側には一つの第二枢軸が接続され、前記第二枢軸は前記直線ガイドに沿って往復移動するほか、前記第一枢軸部分は前記第二枢軸の動作経路および前記動作経路の延伸方向に位置しない、戸窓用の遮蔽構造。
【請求項２】
前記直線ガイドは長軸方向に平行に設置された一つの前縁と一つの後縁を持ち、前記前縁と前記後縁の間は前記長軸方向に沿って一つの底部開口を形成する；前記第一枢軸は前記直線ガイドの前記第一端に近接し、しかも後縁の外側に位置し、前記第二枢軸の片端は前記底部開口を通過し、もう片端は前記第二可動板と接続することを特徴とする請求項１に記載の戸窓用の遮蔽構造。
【請求項３】
一つの固着物を含み、前記固着物の底面は前記直線ガイドと前記第一枢軸と結合し、前記第一枢軸は前記固着物底面と垂直を保つように設置されている；前記第一可動板は一つの後部を備え、前記後部に一つの枢座があり、前記第一枢軸の片端は前記枢座の中に穿入することを特徴とする請求項２に記載の戸窓用の遮蔽構造。
【請求項４】
前記固着物は一つの長方形框体を含み、前記長方形框体の長軸方向に一つの前縁と一つの後縁があり、前記長方形框体の前記前縁は前記後縁の間隔は第一距離で、前記直線ガイドの前記前縁と前記後縁の間隔は第二距離で、前記第二距離は前記第一距離よりも短いことを特徴とする請求項３に記載の戸窓用の遮蔽構造。
【請求項５】
可動状態で前記直線ガイドの中に設置される一つの複滑車を含み、前記第二枢軸の片端は前記複滑車と接続し、もう片端は前記第二可動板の頂面と接続することを特徴とする請求項２に記載の戸窓用の遮蔽構造。
【請求項６】
前記直線ガイドの長軸方向に水平に設置された一つの上縁と一つの下縁があり、前記上縁は前記下縁の間では前記長軸方向に沿って一つの側面開口が形成されている；前記第一枢軸は前記直線ガイドの前記第一端に近接し、しかも前記下縁の下方に位置し、前記第二枢軸は前記直線ガイドの前記側面開口に沿って往復移動することを特徴とする請求項１に記載の戸窓用の遮蔽構造。
【請求項７】
少なくとも一つの滑車と一つの輪座を含み、前記滑車は可動状態で前記直線ガイドに設置されており、しかも前記輪座と連結し、前記輪座は前記直線ガイドの前記側面開口の外側に位置する；前記第二枢軸の片端は前記輪座まで届いて接続し、もう片端は前記第二可動板まで届いて接続することを特徴とする請求項６に記載の戸窓用の遮蔽構造。
【請求項８】
前記第一可動板の下方に設置された一つの調整構造があり、前記調整構造は一つの側座、一つのベースと一つのスクリューを含み、このうち前記側座は前記第一可動板上に設置され、しかも一つの軸穴があり、前記スクリューの片端は前記軸穴の中まで伸び、もう片端は前記ベースと結合することを特徴とする請求項１に記載の戸窓用の遮蔽構造。
【請求項９】
前記調整構造はさらに一つの可動プレート、一つの可動ブロックおよび一つのボルトを含み、前記ベースに一つの長い溝があり、前記可動プレートは前記長い溝に沿って変位するほか、一つの穿孔を備え、前記スクリューの片側は前記可動プレートを通過して前記ベースと結合し、前記可動ブロックは前記長い溝の中、前記可動プレートの下方に位置し、前記可動ブロックに一つのネジ穴があり、前記ボルトの片端は前記可動プレートの前記穿孔を通過して前記可動ブロックの前記ネジ穴の中にロックインされることを特徴とする請求項８に記載の戸窓用の遮蔽構造。